(57)【要約】      （修正有）【課題】Ｘ線循環器検査に用いられる検診台の天板に腕受台を取り付けて検査を行う場合、従来行われている、被検者の背中と天板の間に挟んで使用する方法や、天板にベルトなどで着脱可能に固定して使用する方法では、被検者の背中と天板の間に腕受台の一部が存在する。この部分は心臓の検査時等の撮影領域であるため、腕受台はＸ線吸収の少ないカーボン繊維等により構成されているが、それでもエッジ部分等が撮影された画像に現れて、診断時の障害になる。【解決手段】腕受台３０を保持板３１とその上に重ねて軸３３により回転可能に取り付けられた可調整腕受板３２によって構成し、保持板３１を天板２の補強材部２Ｃに設けられた収容部２Ｄに挿入して保持されるように天板２に取り付ける。【選択図】図１
2008229117.tif 000002
【特許請求の範囲】
【請求項１】
被検者の頭部の幅程度とした頭部を載置するための領域１、前記被検者の胸部の幅程度とした胸部を載置するための領域２、及び胸部より下の部分を載置する領域３を有する天板と、前記被検者の腕を支える腕受台を備えたＸ線透視撮影用検診台において、前記領域３に前記領域２に対して幅広となる横幅拡大部を設け、この横幅拡大部に前記腕受台を収容する収容部を形成したことを特徴とする医用Ｘ線診断装置の検診台。
【請求項２】
被検者の胸部の幅程度とした胸部を載置するための領域２、及び胸部より下の部分を載置する領域３を有する天板と、前記被検者の腕を支える腕受台を備えたＸ線透視撮影用検診台において、前記領域３に前記領域２に対して幅広となる横幅拡大部を設け、この横幅拡大部に前記腕受台を収容する収容部を形成したことを特徴とする医用Ｘ線診断装置の検診台。
【請求項３】
前記収容部は被検者体軸方向に穿設された長穴であることを特徴とする請求項１又は請求項２記載の医用Ｘ線診断装置の検診台。
【請求項４】
前記腕受台は保持板と、前記保持板の先端部に設けられた支軸を中心に回動自在で被検者の腕の角度にあわせて回転角度を調整できる可調整腕受板により構成されることを特徴とする請求項３記載の医用Ｘ線診断装置の検診台。
【請求項５】
前記可調整腕受板には被検者の腕を固定するベルトが設置されていることを特徴とする請求項４記載の医用Ｘ線診断装置の検診台。
【請求項６】
前記可調整腕受板がカーボン繊維材料で構成され、保持板が金属板とカーボン繊維材料で構成されることを特徴とする請求項４記載の医用Ｘ線診断装置の検診台。
【発明の詳細な説明】
【技術分野】
【０００１】
本発明は循環器用Ｘ線透視撮影装置に関する。
【背景技術】
【０００２】
Ｘ線を用いた循環器系の透視撮影検査は例えば図６に示すように、検診台４の天板２の上に載置された被検者１の検査部位を、Ｃアーム保持装置５のＣアーム６の両端部に互いに対向配置して取り付けられた、Ｘ線発生源としてのＸ線管７とＸ線受光部としてのイメージインテンシファイア８およびＴＶカメラ９またはフラットパネルディテクタの間のＸ線照射野に配置して行われる。そして血管造影検査を行うために血管内に造影剤を注入するために、被検者１の左右いずれかの手首からカテーテルを挿入ことが多く、その場合被検者１は仰向けの状態でカテーテルを挿入する側の腕を広げて、カテーテルを挿入しやすい姿勢をとる。
【０００３】
しかし天板２の横幅はＣアーム６との干渉を最小限にするために、通常被検者１の肩幅程度しかないので、広げた腕を支えるために、例えば図７に示すような腕受台３が必要である。ただしカテーテルの挿入は手首ではなくそけい部から行う場合もあるので、腕受台３は天板２に着脱可能でなければならない。そのため腕受台３は、被検者１の背中と天板２の間に挟んで使用するもの（例えば特許文献１参照）や、天板２にベルトなどで着脱可能に固定して使用するもの（例えば特許文献２参照）などが一般的に用いられている。
【特許文献１】特開平８−１９１８６８号公報
【特許文献２】特開２００６−０２０６６６号公報
【発明の開示】
【発明が解決しようとする課題】
【０００４】
Ｘ線循環器検査に用いられる検診台の天板に腕受台を取り付けて検査を行う場合、従来行われている、被検者の背中と天板の間に挟んで使用する方法や、天板にベルトなどで着脱可能に固定して使用する方法では、図７に示すように被検者の背中と天板の間に腕受台の一部が存在する。この部分は心臓の検査時等の撮影領域であるため、腕受台はＸ線吸収の少ないカーボン繊維等により構成されているが、それでもエッジ部分等が撮影画像上に現れて、診断の障害になるという不都合がある。本発明はこの不都合を解消するためのものである。
【課題を解決するための手段】
【０００５】
請求項１記載の発明は上記の目的を達成するために、被検者の頭部の幅程度とした頭部を載置するための領域１、前記被検者の胸部の幅程度とした胸部を載置するための領域２、及び胸部より下の部分を載置する領域３を有する天板と、前記被検者の腕を支える腕受台を備えたＸ線透視撮影用検診台において、前記領域３に前記領域２に対して幅広となる横幅拡大部を設け、この横幅拡大部に前記腕受台を収容する収容部を形成したＸ線透視撮影用検診台を提供する。
【０００６】
請求項２記載の発明は上記の目的を達成するために、被検者の胸部の幅程度とした胸部を載置するための領域２、および胸部より下の部分を載置する領域３を有する天板と、前記被検者の腕を支える腕受台を備えたＸ線透視撮影用検診台において、前記領域３に前記領域２に対して幅広となる横幅拡大部を設け、この横幅拡大部に前記腕受台を収容する収容部を形成したＸ線透視撮影用検診台を提供する。
【０００７】
請求項３記載の発明は上記の目的を達成するために、前記収容部は被検者体軸方向に穿設された長穴である請求項１又は請求項２記載のＸ線透視撮影用検診台を提供する。
【０００８】
請求項４記載の発明は上記の目的を達成するために、前記腕受台は保持板と、前記保持板の先端部に設けられた支軸を中心に回動自在で被検者の腕の角度にあわせて回転角度を調整できる可調整腕受板により構成される請求項３記載のＸ線透視撮影用検診台を提供する。
【０００９】
請求項５記載の発明は上記の目的を達成するために、前記可調整腕受板がカーボン繊維材料で構成され、保持板が金属板とカーボン繊維材料で構成される請求項４記載のＸ線透視撮影用検診台を提供する。
【００１０】
請求項６記載の発明は上記の目的を達成するために、前記可調整腕受板がカーボン繊維材料で構成され、保持板が金属板とカーボン繊維材料で構成される請求項４記載のＸ線透視撮影用検診台を提供する。
【発明の効果】
【００１１】
本発明により腕受台を天板周辺部の補強材部によって保持することで、腕受台が被検者の背中と天板の間に存在しなくなるので、そのエッジ部分等が心臓の検査時等の撮影画像に障害陰影として現れる不都合を解消することができる。また使用しないときは腕受台を折りたたんで天板周辺部の補強材部内に収納することができるので、紛失や破損の心配がなく、必要なときに即座に引き出して使用することができる。
【発明を実施するための最良の形態】
【００１２】
以下図１〜図５を用いて本発明の実施例について説明する。本発明による腕受台３０は図２（ａ）に示す保持板３１と図２（ｂ）に示す可調整腕受板３２によって構成される。そして保持板３１はＸ線吸収の少ないカーボン繊維を材質とするカーボン繊維部３１Ｂと
、軽量で剛性の大きい、例えばアルミニウムを材質とする金属部３１Ａが接続された構成であり、カーボン繊維部３１Ｂの幅および厚さはいずれも金属部３１Ａの幅および厚さを越えず、またカーボン繊維部３１Ｂと金属部３１Ａの上面は段差なく接続されている。
【００１３】
そしてカーボン繊維部３１Ｂの先端部近辺に孔３１Ｃが設けられている。また可調整腕受板３２は全体がカーボン繊維で形成されており、その先端部近辺に孔３２Ａが設けられ、さらに被検者１の腕を固定するための２個のベルト３４が取り付けられている。そして腕受台３０は、図１に示すように孔３２Ａと孔３１Ｃを貫通する軸３３により、可調整腕受板３２が保持板３１上で回転可能な状態で連結され保持されている。
【００１４】
一方天板２は図６に示すＸ線管７およびイメージインテンシファイア８およびＴＶカメラ９により構成されるＸ線透視撮影系ができるだけ被検者１に接近できるよう人間の体の形に対応して、図３（ａ）に示すようにそれぞれ幅の異なる、頭部を載せるための領域１、肩以下の部分を乗せる領域２、および検診台４が前後動可能に天板２を保持するための補強材部２Ｃを内蔵する領域３の３個の領域に区分されている。そして図３（ａ）のＡＡ断面図である図３（ｂ）に示すように、上記領域３の両脇部の、例えばアルミニウムにより構成される補強材部２Ｃと、例えば発泡アクリルで構成される中央部の軽量材部２Ｂと、例えばカーボン繊維により構成され天板２全体を覆う表面部２Ａにより構成されている。
【００１５】
以上の構成は従来の天板２の構成と同じであるが、本発明では補強材部２Ｃに腕受台３０を保持および収納するための収容部２Ｄを設けている。収容部２Ｄは領域２と領域３の境界に入り口を有し、保持板３１の長さよりわずかに短い奥行と、図３（ａ）のＡＡ断面において図４に示すような凸型の断面を有している。ここで収容部２Ｄの下辺の幅Ｗ１は保持板３１の幅ｗ１よりわずかに広く、上辺の幅Ｗ２は可調整腕受板３２の幅ｗ２よりわずかに広くなっており、凸型の下段の高さＤ１は保持板３１の厚さｄ１よりわずかに高く、全体の高さＤ２は可調整腕受板３２を回転させて全体を保持板３１上に重ねたときのベルト３４および軸３３を含めた腕受台３０全体の高さよりもわずかに高くなるように形成されている。
【００１６】
腕受台３０は図１に示すように上記の収容部２Ｄに保持板３１を挿入して使用されるが
、保持板３１の長さを十分長くしておくことにより、使用時に必要な位置まで引き出しても腕受台３０は補強材部２Ｃにより保持されるので、図５に示すように被検者１の腕を受けるのに適当な位置まで引き出した後、可調整腕受板３２を腕を載せるのに適した角度になるように回転させ、ベルト３４により腕を可調整腕受板３２に固定する。
【００１７】
一方腕受台３０を使用しない場合は、保持板３１上に可調整腕受板３２を重ねた状態で収容部２Ｄ内に押し込むことにより、そのほぼ全体を収容部２Ｄ内に収納することができる。
【００１８】
天板２および腕受台３０を上記のように構成することにより、図５に示すように腕受台３０のいずれの部分も被検者１の背中に重なる位置に配置されることがなくなるので、そのエッジ部分等が心臓の検査時等の撮影画像に障害陰影として現れる不都合を解消することができる。
【００１９】
上記の実施例では天板２の両脇部に存在する補強材部２Ｃの一方のみに収容部２Ｄを設け、片側のみに腕受台３０を取り付けるようにしたが、両側に設けて左右どちらにも取り付けられるようにしてもよいし、腕受台３０を２個用意して両側に同時に取り付けるようにしてもよい。また、領域３は図３に示すように、胸部以下の部位を載置する領域であるが、保持板３１を収容できる程度の長さであれば、必ずしも胸部に隣接して設ける必要はない。
【産業上の利用可能性】
【００２０】
本発明は循環器用Ｘ線透視撮影装置に関する。
【図面の簡単な説明】
【００２１】
【図１】本発明による腕受台の構成および保持方法を説明するための図である。
【図２】本発明による腕受台の構成品を説明するための図である。
【図３】本発明による腕受台を保持、収納可能な天板の構造を説明するための図である
【図４】収容部２Ｄの構成を説明するための図である。
【図５】本発明の腕受台を使用したときの状態を説明するための図である。
【図６】Ｘ線を用いた循環器系の透視撮影検査の様子を説明するための図である。
【図７】従来の腕受台を使用したときの状態を説明するための図である。
【符号の説明】
【００２２】
１：被検者
２：天板
２Ａ：表面部
２Ｂ：軽量材部
２Ｃ：補強材部
２Ｄ：収容部
３：腕受台
４：検診台
５：Ｃアーム保持装置
６：Ｃアーム
７：Ｘ線管
８：イメージインテンシファイア
９：ＴＶカメラ
３０：腕受台
３１：保持板
３１Ａ：金属部
３１Ｂ：カーボン繊維部
３１Ｃ：孔
３２：可調整腕受板
３２Ａ：孔
３３：軸
３４：ベルト
【図１】
2008229117.tif 000003
【図２】
2008229117.tif 000004
【図３】
2008229117.tif 000005
【図４】
2008229117.tif 000006
【図５】
2008229117.tif 000007
【図６】
2008229117.tif 000008
【図７】
2008229117.tif 000009